(57)【特許請求の範囲】
【請求項１】
毛をシェービングするためのシェービング装置における使用のために切断ユニットであって、前記切断ユニットは、
毛を通過させることを可能とするための開口を持つ構造が介挿されたシェービング面を有する外部切断部材と、
前記開口を持つ構造を通過する毛を切断するための、前記外部切断部材の前記シェービング面における前記開口を持つ構造に沿った、回転軸の周りの、前記外部切断部材に対する回転運動のため駆動可能な、内部切断部材と、
を有し、
前記外部切断部材及び前記内部切断部材は、
前記外部切断部材と前記内部切断部材とが前記切断ユニットの動作のため相互に接続された、相互接続状態と、
前記切断ユニットの洗浄のため前記外部切断部材から少なくとも前記内部切断部材を取り出すため相互に接続を外された、非接続状態と、
をとり、
前記外部切断部材は、第１の中央部分を持ち、前記内部切断部材は、第２の中央部分を持ち、前記相互接続状態において、前記回転軸は、前記第１の中央部分及び前記第２の中央部分の中心線であり、
前記相互接続状態において、保持力が、前記外部切断部材及び前記内部切断部材が非接続状態へと離れてしまうことを防止し、
前記保持力は、少なくとも前記第１の中央部分によって前記第２の中央部分に対してかけられ、及び／又はその逆にかけられ、
前記非接続状態は、前記保持力を上回る手動の力の動作によって、前記回転軸に対して平行な方向に、前記外部切断部材と前記内部切断部材とを互いから離すよう手動で動かすことによって、前記相互接続状態から得られる、
切断ユニット。
【請求項２】
前記非接続状態において、前記第１の中央部分と前記第２の中央部分とが、前記回転運動のための径方向の軸受支持を提供する相互に協働する部分である、請求項１に記載の切断ユニット。
【請求項３】
前記外部切断部材の前記第１の中央部分は、第１のスナップ接続構造を有し、前記内部切断部材の前記第２の中央部分は、第２のスナップ接続構造を有し、前記第１のスナップ接続構造と前記第２のスナップ接続構造とは、スナップ接続により前記保持力の少なくとも一部を提供するため相互に協働する、請求項１又は２に記載の切断ユニット。
【請求項４】
前記相互接続状態において、前記第１のスナップ接続構造及び前記第２のスナップ接続構造は、前記回転運動のための径方向の軸受支持を提供する、請求項３に記載の切断ユニット。
【請求項５】
前記相互接続状態において、前記第１のスナップ接続構造及び前記第２のスナップ接続構造は、前記回転軸に対して平行な方向における前記外部切断部材に対する前記内部切断部材の並進運動に関して、少なくとも０．２ミリメートルの遊びの量を許容する、請求項３又は４に記載の切断ユニット。
【請求項６】
前記保持力の少なくとも一部を提供するための、少なくとも前記第１の中央部分と前記第２の中央部分との間で磁気的な引力を提供するよう構成された、磁石システムを更に有する、請求項１乃至５のいずれか一項に記載の切断ユニット。
【請求項７】
前記磁石システムは、前記磁気的な引力を提供するための、前記第１の中央部分に関連し、前記第１の中央部分のなかに及び／又は前記第１の中央部分上に配置された、磁石を有する、請求項６に記載の切断ユニット。
【請求項８】
前記相互接続状態において、前記第１の中央部分に関連する前記磁石の磁気軸は、前記回転軸と整合する、請求項７に記載の切断ユニット。
【請求項９】
前記磁石システムは、前記磁気的な引力を提供するための、前記第２の中央部分に関連し、前記第２の中央部分のなかに及び／又は前記第２の中央部分上に配置された、磁石を有する、請求項６乃至８のいずれか一項に記載の切断ユニット。
【請求項１０】
前記相互接続状態において、前記第２の中央部分に関連する前記磁石の磁気軸は、前記回転軸と整合する、請求項９に記載の切断ユニット。
【請求項１１】
毛をシェービングするためのシェービング装置における使用のためのシェービングヘッドであって、少なくとも１つの請求項１乃至１０のいずれか一項に記載の切断ユニットを有する、シェービングヘッド。
【請求項１２】
毛をシェービングするためのシェービング装置における使用のためのシェービングヘッドであって、前記シェービングヘッドは、少なくとも１つの切断ユニットを有し、各前記切断ユニットは、
毛を通過させることを可能とするための開口を持つ構造が介挿されたシェービング面を有する外部切断部材と、
前記開口を持つ構造を通過する毛を切断するための、前記外部切断部材の前記シェービング面における前記開口を持つ構造に沿った、回転軸の周りの、前記外部切断部材に対する回転運動のため駆動可能な、内部切断部材と、
を有し、
前記外部切断部材及び前記内部切断部材は、
前記外部切断部材と前記内部切断部材とが前記切断ユニットの動作のため相互に接続された、相互接続状態と、
前記切断ユニットの洗浄のため前記外部切断部材から少なくとも前記内部切断部材を取り出すため相互に接続を外された、非接続状態と、
をとり、
前記外部切断部材は、第１の中央部分を持ち、前記内部切断部材は、第２の中央部分を持ち、前記相互接続状態において、前記回転軸は、前記第１の中央部分及び前記第２の中央部分の中心線であり、
前記相互接続状態において、保持力が、前記外部切断部材及び前記内部切断部材が非接続状態へと離れてしまうことを防止し、
前記保持力は、少なくとも前記第１の中央部分によって前記第２の中央部分に対してかけられ、及び／又はその逆にかけられ、
前記非接続状態は、前記保持力を上回る手動の力の動作によって、前記回転軸に対して平行な方向に、前記外部切断部材と前記内部切断部材とを互いから離すよう手動で動かすことによって、前記相互接続状態から得られ、
前記シェービングヘッドは更に、前記保持力の少なくとも一部を提供するための、少なくとも前記第１の中央部分と前記第２の中央部分との間で磁気的な引力を提供するよう構成された、磁石システムを有し、前記磁石システムは、前記シェービングヘッドに関連し、前記磁気的な引力を提供するため、前記第１の中央部分及び前記第２の中央部分に磁気的に影響を与えるため前記第１の中央部分から及び前記第２の中央部分から離されるよう、前記シェービングヘッドのなかに及び／又は前記シェービングヘッド上に配置された、磁石を有する、シェービングヘッド。
【請求項１３】
前記少なくとも１つの切断ユニットは、多数のそれぞれの切断ユニットであり、前記シェービングヘッドは、前記保持力の少なくとも一部を提供するための、少なくとも各前記切断ユニットの前記第１の中央部分と前記第２の中央部分との間に磁気的な引力を提供するよう構成された磁石システムを有し、前記磁石システムは、各前記切断ユニットの前記第１の中央部分と前記第２の中央部分との間に磁気的な引力を提供するため、各前記切断ユニットの前記第１の中央部分及び前記第２の中央部分に同時に磁気的に影響を与えるための、各前記切断ユニットの前記第１の中央部分及び前記第２の中央部分から離されるよう、前記シェービングヘッドに関連し、前記シェービングヘッドのなかに及び／又は前記シェービングヘッド上に配置された、磁石を有する、請求項１２に記載のシェービングヘッド。
【請求項１４】
毛をシェービングするためのシェービング装置であって、
前記シェービング装置の種々の部材を収容するよう機能する、前記シェービング装置のユーザにより保持されることを意図された、シェービング装置本体と、
前記シェービング装置の動作のため前記シェービング装置本体に接続された又は接続可能な、請求項１１乃至１３のいずれか１項に記載のシェービングヘッドと、
を有するシェービング装置。
【発明の詳細な説明】
【技術分野】
【０００１】
本発明は、毛をシェービングするためのシェービング装置に関する。より詳細には、本発明は、毛をシェービングするためのシェービング装置における使用のために切断ユニットであって、前記切断ユニットは、
毛を通過させることを可能とするための開口を持つ構造が介挿されたシェービング面を有する外部切断部材と、
前記開口を持つ構造を通過する毛を切断するための、前記外部切断部材の前記シェービング面における前記開口を持つ構造に沿った、回転軸の周りの、前記外部切断部材に対する回転運動のため駆動可能な、内部切断部材と、
を有し、
前記外部切断部材及び前記内部切断部材は、
前記外部切断部材と前記内部切断部材とが前記切断ユニットの動作のため相互に接続された、相互接続状態と、
前記切断ユニットの洗浄のため前記外部切断部材から少なくとも前記内部切断部材を取り出すため相互に接続を外された、非接続状態と、
をとる、切断ユニットに関する。
【０００２】
本発明はまた、毛をシェービングするためのシェービング装置における使用のためのシェービングヘッドであって、少なくとも１つの以上に記載されたタイプの切断ユニットを有するシェービングヘッドに関する。
【背景技術】
【０００３】
以上に特定したタイプの切断ユニット及びシェービングヘッドについては、幾つかの望ましい設計要件がある。
【０００４】
第１の望ましい設計要件は、上述した相互接続状態から上述した非接続状態へと、及びその逆に、外部及び内部切断部材の状態を変更することが、ユーザによる手動の操作によって可能であるべきである。
【０００５】
第２の望ましい設計要件は、内部切断部材が回転駆動構造に駆動可能に接続されているときには、当該手動の操作が必要とされず、ユーザが内部切断部材に直接触れることもできないようにすることである。斯くして、回転駆動構造の意図しない作動の場合に、ユーザが怪我をしてしまうことが防止される。
【０００６】
第３の望ましい設計要件は、外部及び内部切断部材が正常に上述した相互接続状態へとされた後に、後続する内部切断部材の回転駆動構造への接続の間に、内部切断部材が、外部切断部材に対して適切に配置されたままとなることである。斯くして、不適切な相対的な配置のために、切断部材が回転駆動構造の作動の際に損傷してしまうことが防止される。
【０００７】
これらの望ましい設計要件に関し、最初に特定したタイプのシェービングヘッドの切断ユニットはしばしば、「固定器」とも呼ばれる別個の支持装置を備えるよう設計される。当該別個の固定器は、内部切断部材が外部切断部材に対して適切な動作位置において該固定器により固定される固定位置と、ユーザが外部切断部材から内部切断部材を取り外すことができる解放位置と、の間で手動で移動可能である。
【０００８】
斯かる保持器を持つ既知のシェービングヘッドの例は、国際特許出願公開WO2011/055323A1に開示されている。当該シェービングヘッド３及びその詳細は、国際特許出願公開WO2011/055323A1の図１乃至８に示されている。シェービングヘッド３の各切断ユニット６は、外部切断部材７、内部切断部材１０及び保持器２１を持つ。保持器２１は、枢動可能な態様で外部切断部材７に接続され、固定位置と解放位置との間の手動での可動性を実現する。固定位置においては、保持器２１は、外部切断部材７に対して固定されることができ、内部切断部材１０は、保持器２１と外部切断部材７との間に固定される。図２乃至７は、切断ユニット６の１つの種々の状態を明確に示す。例えば、保持器２１が、固定された状態において、後続する回転駆動シャフト３０への内部切断部材１０の接続のために、外部切断部材７に対して内部切断部材１０が適切に配置されていることをどのように保つかが明確に示されている。
【０００９】
また、内部切断部材１０が、駆動シャフト３０に駆動可能に接続されていないときに、内部切断部材１０が、切断ユニットから手動で取り外されることができることも明確に示されている（国際特許出願公開WO2011/055323A1の図７参照）。更に、内部切断部材が、回転駆動構造に駆動可能に接続されていないときには、切断ユニット６が、ユーザが内部切断部材に直接に触れることができないようにすることが明らかである。
【００１０】
実際には、内部切断部材を保持器と外部切断部材との間に固定しつつ、外部切断部材に対して固定されることができる、種々のタイプの別個の保持器が知られている。これら他の別個の保持器の殆どは、外部切断部材に対して枢動可能に接続されない。その代わり、ユーザが対応する切断ユニットに対して斯かる他の保持器の固定を手動で外した後、斯かる他の保持器は、切断ユニットの回転軸に平行な並進方向に外部切断部材から完全に取り外し可能である。これら他の別個の保持器の殆どは小型であり、幾分か環状の部分であるが、既存の多くの異なる保持器のタイプに対して、多くの異なる固定機構が存在する。
【発明の概要】
【発明が解決しようとする課題】
【００１１】
これら既知の保持器の殆どの一般的な欠点は、切断ユニットに対して内部切断部材を取り外す及び挿入するために必要とされる手動の操作が、ユーザにとって理解及び／又は実行及び／又は記憶が容易ではないことである。例えば、特にこれら保持器の殆どが、指で正確に操作するには困難な小型の部品であり、裸眼で識別することが困難な非常に小さな固定部を持つために、対応する切断ユニットに対する保持器の固定及び固定解除はしばしば面倒である。
【００１２】
これら既知の保持器の殆どの他の欠点は、これら既知の保持器が実際には、切断ユニット又はシェービングヘッドの付加的な部品であり、切断ユニット又はシェービングヘッド内に付加的な空間を必要とする点である。
【００１３】
本発明の目的は、上述した３つの望ましい設計要件を満たしつつ、同時に、内部切断部材が、非常に容易で快適且つ直観的な態様で、切断ユニットに対して手動で取り外し及び挿入されることができるようにし、また同時にこれら全てを複雑ではなく小型に実現することにある。
【課題を解決するための手段】
【００１４】
この目的のため、本発明は、添付される独立請求項１に記載の切断ユニット、及び添付される独立請求項１１及び１２に記載のシェービングヘッドを提供する。本発明の好適な実施例は、添付される従属請求項２乃至１０及び１３により提供される。
【００１５】
従って、本発明は、毛をシェービングするためのシェービング装置における使用のために切断ユニットであって、前記切断ユニットは、
毛を通過させることを可能とするための開口を持つ構造が介挿されたシェービング面を有する外部切断部材と、
前記開口を持つ構造を通過する毛を切断するための、前記外部切断部材の前記シェービング面における前記開口を持つ構造に沿った、回転軸の周りの、前記外部切断部材に対する回転運動のため駆動可能な、内部切断部材と、
を有し、
前記外部切断部材及び前記内部切断部材は、
前記外部切断部材と前記内部切断部材とが前記切断ユニットの動作のため相互に接続された、相互接続状態と、
前記切断ユニットの洗浄のため前記外部切断部材から少なくとも前記内部切断部材を取り出すため相互に接続を外された、非接続状態と、
をとり、
前記外部切断部材は、第１の中央部分を持ち、前記内部切断部材は、第２の中央部分を持ち、前記相互接続状態において、前記回転軸は、前記第１の中央部分及び前記第２の中央部分の中心線であり、
前記相互接続状態において、保持力が、前記外部切断部材及び前記内部切断部材が非接続状態へと離れてしまうことを防止し、
前記保持力は、少なくとも前記第１の中央部分によって前記第２の中央部分に対してかけられ、及び／又はその逆にかけられ、
前記非接続状態は、前記保持力を上回る手動の力の動作によって、前記回転軸に対して平行な方向に、前記外部切断部材と前記内部切断部材とを互いから離すよう手動で動かすことによって、前記相互接続状態から得られる、
切断ユニットを提供する。
【００１６】
従って、本発明によれば、前記保持力は、外部切断部材と内部切断部材との間に直接に提供され、保持器と外部切断部材との間に内部切断部材を保持するための付加的な別個の保持器の必要性をなくす。該保持力が、より具体的にはそれぞれ内部及び外部切断部材の前記２つの中央部分を介して提供されるという事実は更に、該２つの中央部分の中心線に整合した回転軸のまわりの、内部及び外部切断部材の互いに対する回転運動を可能とする。更に、外部切断部材から内部切断部材を取り外すためには、ユーザは、該保持力を上回る、単純で直観的な一方向の引っ張り力をかけるだけで良い。
【００１７】
本発明の好適な実施例は、前記非接続状態において、前記第１の中央部分と前記第２の中央部分とが、前記回転運動のための径方向の軸受支持を提供する相互に協働する部分であることにおいて定義される。このようにして、内部及び外部切断部材の２つの中央部分は、多機能な特性を持ち、切断ユニットの小型さを更に改善する。
【００１８】
本発明の更に好適な実施例は、前記外部切断部材の前記第１の中央部分は、第１のスナップ接続構造を有し、前記内部切断部材の前記第２の中央部分は、第２のスナップ接続構造を有し、前記第１のスナップ接続構造と前記第２のスナップ接続構造とは、スナップ接続により前記保持力の少なくとも一部を提供するため相互に協働することにおいて定義される。ユーザにとっては、斯かるスナップ接続は、該保持力を実現する容易且つ直観的な態様である。
【００１９】
好適には、前記相互接続状態において、前記第１のスナップ接続構造及び前記第２のスナップ接続構造は、前記回転運動のための径方向の軸受支持を提供する。このようにして、該スナップ接続は、多機能な特性を持ち、切断ユニットの小型さを更に改善する。
【００２０】
好適には、前記相互接続状態において、前記第１のスナップ接続構造及び前記第２のスナップ接続構造は、前記回転軸に対して平行な方向における前記外部切断部材に対する前記内部切断部材の並進運動に関して、少なくとも０．２ミリメートル、好適には少なくとも０．４ミリメートルの遊びの量を許容する。該許容された並進運動は、毛の切断の間、存在する切断力が、幾分か互いとは離れて協働する内部及び外部切断部材の切断端を押し付ける傾向を持つため、切断ユニットの性能を改善する。これら切断端が斯様に離れるよう動くことを可能とすることは、毛の切断の間に内部切断部材と外部切断部材との間の接触圧力を減少させ、摩擦を低減するため、重要である。更なる明確化のため、回転シェーバにおいては通常、内部切断部材の駆動部材が、外部切断部材の方向に内部切断部材を弾力的に押すこと、及びこのことは通常螺旋型のばね等を用いて実現されることに留意されたい。斯かる場合においては、毛が切断されて短い時間の後、ばね力が、内部切断部材を、外部切断部材の方向に再び戻るよう動かすこととなる。このとき、幾分かの減衰振動効果（「跳ね返り効果」としても知られる）が生じ、該ばね力の下で内部切断部材が外部切断部材に対して数回跳ね返る。
【００２１】
本発明の更に好適な実施例においては、前記切断ユニットは更に、前記保持力の少なくとも一部を提供するための、少なくとも前記第１の中央部分と前記第２の中央部分との間で磁気的な引力を提供するよう構成された、磁石システムを有する。斯かる磁石システムの使用は、外部切断部材に対して内部切断部材を正確に位置決めするための、非常に容易で快適且つ直観的な方法をユーザに提供する。斯かる磁石システムは、永久磁石又は電磁石を有しても良いことに留意されたい。第１の中央部分が磁石を含んでも良い。同様に、第２の中央部分が磁石を含んでも良い。
【００２２】
更に好適な実施例においては、前記磁石システムは、前記磁気的な引力を提供するための、前記第１の中央部分に関連し、前記第１の中央部分のなかに及び／又は前記第１の中央部分上に配置された、磁石を有する。斯かる実施例においては、第２の中央部分は、磁化可能な材料を含んでも良い。
【００２３】
好適には、前記相互接続状態において、前記第１の中央部分に関連する前記磁石の磁気軸は、前記回転軸と整合する。回転軸に対する磁気軸の斯かる整合によって、該磁気的な引力は非常に効果的となり、同時に前記回転運動が非常に滑らかとなる。
【００２４】
更に好適な実施例においては、前記磁石システムは、前記磁気的な引力を提供するための、前記第２の中央部分に関連し、前記第２の中央部分のなかに及び／又は前記第２の中央部分上に配置された、磁石を有する。斯かる実施例においては、第１の中央部分は、磁化可能な材料を含んでも良い。
【００２５】
好適には、前記相互接続状態において、前記第２の中央部分に関連する前記磁石の磁気軸は、前記回転軸と整合する。回転軸に対する磁気軸の斯かる整合によって、該磁気的な引力は非常に効果的となり、同時に前記回転運動が非常に滑らかとなる。
【００２６】
本発明はまた、毛をシェービングするためのシェービング装置における使用のためのシェービングヘッドであって、少なくとも１つの本発明による切断ユニットを有するシェービングヘッドにおいて実施化され得る。
【００２７】
本発明によるシェービングヘッドの好適な実施例においては、前記シェービングヘッドは、少なくとも１つの切断ユニットを有し、各前記切断ユニットは、
毛を通過させることを可能とするための開口を持つ構造が介挿されたシェービング面を有する外部切断部材と、
前記開口を持つ構造を通過する毛を切断するための、前記外部切断部材の前記シェービング面における前記開口を持つ構造に沿った、回転軸の周りの、前記外部切断部材に対する回転運動のため駆動可能な、内部切断部材と、
を有し、
前記外部切断部材及び前記内部切断部材は、
前記外部切断部材と前記内部切断部材とが前記切断ユニットの動作のため相互に接続された、相互接続状態と、
前記切断ユニットの洗浄のため前記外部切断部材から少なくとも前記内部切断部材を取り出すため相互に接続を外された、非接続状態と、
をとり、
前記外部切断部材は、第１の中央部分を持ち、前記内部切断部材は、第２の中央部分を持ち、前記相互接続状態において、前記回転軸は、前記第１の中央部分及び前記第２の中央部分の中心線であり、
前記相互接続状態において、保持力が、前記外部切断部材及び前記内部切断部材が非接続状態へと離れてしまうことを防止し、
前記保持力は、少なくとも前記第１の中央部分によって前記第２の中央部分に対してかけられ、及び／又はその逆にかけられ、
前記非接続状態は、前記保持力を上回る手動の力の動作によって、前記回転軸に対して平行な方向に、前記外部切断部材と前記内部切断部材とを互いから離すよう手動で動かすことによって、前記相互接続状態から得られ、
前記シェービングヘッドは更に、前記保持力の少なくとも一部を提供するための、少なくとも前記第１の中央部分と前記第２の中央部分との間で磁気的な引力を提供するよう構成された、磁石システムを有し、前記磁石システムは、前記シェービングヘッドに関連し、前記磁気的な引力を提供するため、前記第１の中央部分及び前記第２の中央部分に磁気的に影響を与えるため前記第１の中央部分から及び前記第２の中央部分から離されるよう、前記シェービングヘッドのなかに及び／又は前記シェービングヘッド上に配置された、磁石を有する。
【００２８】
更なる実施例においては、前記少なくとも１つの切断ユニットは、多数のそれぞれの切断ユニットであり、前記シェービングヘッドは、前記保持力の少なくとも一部を提供するための、少なくとも各前記切断ユニットの前記第１の中央部分と前記第２の中央部分との間に磁気的な引力を提供するよう構成された磁石システムを有し、前記磁石システムは、各前記切断ユニットの前記第１の中央部分と前記第２の中央部分との間に磁気的な引力を提供するため、各前記切断ユニットの前記第１の中央部分及び前記第２の中央部分に同時に磁気的に影響を与えるための、各前記切断ユニットの前記第１の中央部分及び前記第２の中央部分から離されるよう、前記シェービングヘッドに関連し、前記シェービングヘッドのなかに及び／又は前記シェービングヘッド上に配置された、磁石を有する。斯かるシェービングヘッドに関連する磁石の使用は、いずれの磁石をもなかに備えないシェービングヘッドの内部及び外部切断部材の製造を可能とする。必要とされるものは、外部及び内部切断部材の第１及び第２の中央部分のなかの及び／又は該中央部分上の磁化可能な材料のみである。
【００２９】
本発明はまた、毛をシェービングするためのシェービング装置であって、
前記シェービング装置の種々の部材を収容するよう機能する、前記シェービング装置のユーザにより保持されることを意図された、シェービング装置本体と、
前記シェービング装置の動作のため前記シェービング装置本体に接続された又は接続可能な、本発明によるシェービングヘッドと、
を有するシェービング装置において実施化され得る。
【００３０】
本発明の上述した態様及びその他の態様は、単に限定するものではない例として以下に記載される実施例を参照しながら、また添付図面における模式的な図を参照しながら、説明され明らかとなるであろう。
【図面の簡単な説明】
【００３１】
【図１】本発明によるシェービングヘッドの第１の実施例を有する、本発明によるシェービング装置の例を、斜視図で示す。
【図２】シェービングヘッドが開かれた状態での、シェービングヘッドの第１の実施例を、斜視図で示す。
【図３】以下「第１の切断ユニット」とも示される図示された切断ユニットの分解された状態で、第１の切断ユニットの外部切断部材と内部切断部材とが離された状態での、シェービングヘッドの第１の実施例の、本発明による３つの同一の切断ユニットのうちの１つを、斜視図で示す。
【図４】第１の切断ユニットの外部切断部材と内部切断部材とが相互接続状態にある、第１の切断ユニットに平行な、該第１の切断ユニットの回転軸を含む断面図で、第１の切断ユニットを示す。
【図５】本発明によるシェービングヘッドの第２の実施例における使用のための、以下「第２の切断ユニット」とも示される切断ユニットの更なる実施例を、第２の切断ユニットの外部切断部材と内部切断部材とが相互接続状態にある、第２の切断ユニットに平行な、該第２の切断ユニットの回転軸を含む断面図で示す。
【図６】以下「第３の切断ユニット」とも示される２つの同一な切断ユニットをお有する、本発明によるシェービングヘッドの第３の実施例の一部の実施例を、２つの第３の切断ユニットの外部切断部材と内部切断部材とが相互接続状態にある、２つのそれぞれの第３の切断ユニットに平行な、該第３の切断ユニットの回転軸を含む断面図で示す。
【発明を実施するための形態】
【００３２】
上述した図１乃至６において用いられる参照記号は、本発明の上述した部分及び態様、並びに関連する部分及び態様を示す。
【００３３】
まず、シェービングヘッドの第１の実施例に基づいてシェービング装置１を示す、図１乃至４が参照される。
【００３４】
図１は、シェービング装置本体２と、該シェービング装置本体に接続されたシェービングヘッド３と、を有するシェービング装置１を示す。
【００３５】
図２は、シェービングヘッド３が、シェービングヘッド駆動本体４とシェービングヘッド切断本体５とに分離され得ることを示す。シェービングヘッド切断本体５は、フレーム８を持ち、該フレーム８に、シェービングヘッド３の３つの同一な第１の切断ユニット７、７Ａ、７Ｂが接続される。シェービングヘッド駆動本体４は、それぞれ３つの切断ユニット７、７Ａ、７Ｂの３つの同一な切断部材２２を駆動するための、３本の駆動シャフト６、６Ａ、６Ｂを持つ。
【００３６】
図３は、第１の切断ユニット７が、外部切断部材１１及び内部切断部材１２を有することを示す。シェービングヘッド３の動作において、図示されたシェービングヘッド切断本体５の皮膚支持部材１４は、シェービングヘッド切断本体５のフレーム８に対して懸架され、同時に、外部切断部材１１が、図示された固定環１５を介して皮膚支持部材１４に対して接続される。外部切断部材１１は、毛が通過することを可能とするための開口を持つ構造が介挿された、シェービング面１６を持つ。
【００３７】
図４は、外部及び内部切断部材１１、１２の相互接続状態における第１の切断ユニット７を示す。図４において、外部切断部材１１の第１の中央部分２１が、第１のスナップ接続構造３１を有し、内部切断部材１２の第２の中央部分２２が、第２のスナップ接続構造３２を有することが示されている。また、第１のスナップ接続構造３１及び第２のスナップ接続構造３２は、径方向の軸受支持、即ち、回転軸１０のまわりの外部切断部材１１に対する内部切断部材１２の回転運動のための、回転軸１０に対して径方向の軸受支持を提供することが示されている。図４は更に、第１のスナップ接続構造３１及び第２のスナップ接続構造３２が、回転軸１０に平行な方向における、外部切断部材１１に対する内部切断部材１２の並進運動に関する、上述した量の遊び２０を許容することを示す。
【００３８】
図示された例においては、第１のスナップ接続構造３１は、自由端が局所的に増大する直径を持つ軸受スタッド３１であり、第２のスナップ接続構造３２は、入口開口が局所的に減少する直径を持ち、前記遊び２０を許容する、円筒形の凹部３２である。一般的に、外部切断部材と内部切断部材との間の回転運動の軸受面は、数あるなかでも、斯かる円筒形の凹部の入口開口の局所的に減少する直径、及び／又は斯かる軸受スタッドの自由端の局所的に増大する直径、及び／又はその他のいずれかの外部及び内部切断部材の面を備えて形成されても良い。
【００３９】
一般的に、第１のスナップ接続構造及び／又は第２のスナップ接続構造は例えば、弾力性のある材料からつくられても良い。図示された例においては、円筒形の凹部３２を定義する構造は例えば、弾力性のあるプラスチック材料からつくられても良い。
【００４０】
スナップ接続は好適には、前記保持力まず第１に、少なくともシェービングヘッド３が図１に示された状態から図２の状態へと分離されるときに、内部切断部材が外部切断部材のなかに留まるのに十分なものとなるよう設計される。第２に、シェービングヘッド切断本体５がシェービングヘッド駆動本体４から分離された後に、各内部切断部材を外部切断部材のなかに保つために、前記保持力は好適には、内部切断部材の質量（通常１ｇよりもかなり大きくはない）の数倍を担持するのに十分なものであるべきである。全体として、該スナップ接続は好適には、図２の状態において、外部切断部材から内部切断部材を取り外すのに必要とされる手動の引っ張り力が、約２０ｇｆよりも小さい大きさのオーダーとなるよう設計される。洗浄ステップの後に内部切断部材を外部切断部材に戻すよう挿入するとき、穏やかに押すことが、内部切断部材を再び適所にスナップ接続させる。
【００４１】
ここで、本発明によるシェービングヘッドの上述した第２の実施例における使用のための第２の切断ユニット２０７を示す図５が参照される。第２の切断ユニット２０７は、外部切断部材２１１及び内部切断部材２１２を有する。第１の中央部分２２１と第２の中央部分２２２とは、回転軸２１０のまわりの回転運動のための径方向の軸受支持を提供する、相互に協働する部分であることが示される。
【００４２】
更に、図示された例においては、第１の中央部分２２１と第２の中央部分２２２との間の上述した磁気的な引力を提供するため、磁石２３０が、第２の中央部分２２２に関連して、第２の中央部分２２２のなかに配置される。図示された例においては、第１の中央部分２２１は、磁化可能な材料を有する。
【００４３】
図５において、磁石２３０の磁気軸は、図示された双方向矢印により示されており、磁石２３０の対応する磁場は、磁力線２４０により示されている。それ故、磁石２３０は、回転軸２１０に磁気軸が整合されよう配置される。従って、図示された例においては、磁場は第１の中央部分２２１の軸受スタッドに最大限に結合される。通常、斯かる軸受スタッドは、外部切断部材の材料の比較的大きな部分を含み、その結果、図示されたような磁石２３０の配置が非常に好適である。
【００４４】
用いられる磁石のための実用的な形状は、２乃至３ｍｍの直径及び１乃至３ｍｍの高さを持つ円筒形の形状である。力−密度要件は適度であり、従って比較的低コストの階級のネオジム磁石で十分である。
【００４５】
ここで、本発明によるシェービングヘッドの上述した第３の実施例の切断本体３０５を示す、図６が参照される。該シェービングヘッド切断本体３０５は、シェービングヘッド切断本体３０５のフレーム３０８に接続された、２つの第３の切断ユニット３０７及び３０７Ａを有する。第３の切断ユニット３０７は、外部切断部材３１１及び内部切断部材３１２を有する。第１の中央部分３２１と第２の中央部分３２２とは、回転軸３１０のまわりの回転運動のための径方向の軸受支持を提供する、相互に協働する部分であることが示される。同様に、第３の切断ユニット３０７Ａは、外部切断部材３１１Ａ及び内部切断部材３１２Ａを有し、第１の中央部分３２１Ａと第２の中央部分３２２Ａとは、回転軸３１０Ａのまわりの回転運動のための径方向の軸受支持を提供する、相互に協働する部分である。
【００４６】
更に、図示された例においては、磁石３３０が、シェービングヘッドに関連し、第１の中央部分３２１と第２の中央部分３２２との間の上述した磁気的な引力を提供し、同時に第１の中央部分３２１Ａと第２の中央部分３２２Ａとの間の上述した磁気的な引力を提供するため、第１の中央部分３２１及び３２１Ａ並びに第２の中央部分３２２及び３２２Ａに磁気的に影響を与えるため、これら第１の中央部分から及びこれら第１の中央部分から離されるよう、シェービングヘッドにおいて配置されることが示されている。
【００４７】
図６において、磁石３３０の磁気軸は、双方向矢印により示されている。図示された例においては、第１の中央部分３２１、３２１Ａ及び第２の中央部分３２２、３２２ＡＺのそれぞれ一方が、磁化可能な材料を有する。
【００４８】
本発明は以上の記述及び図面において詳細に説明され記載されたが、斯かる説明及び記載は説明するもの又は例示的なものであって限定するものではないとみなされるべきであり、本発明は開示された実施例に限定されるものではない。
【００４９】
図面、説明及び添付される請求項を読むことにより、請求される本発明を実施化する当業者によって、開示された実施例に対する他の変形が理解され実行され得る。請求項において、「有する（comprising）」なる語は他の要素又はステップを除外するものではなく、「１つの（a又はan）」なる不定冠詞は複数を除外するものではない。単一のプロセッサ又はその他のユニットが、請求項に列記された幾つかのアイテムの機能を実行しても良い。明確さ及び簡潔な説明の目的のため、特徴はここでは同一の又は別個の実施例の一部として開示されるが、本発明の範囲は、開示された特徴の全て又は幾つかの組み合わせを持つ実施例を含み得ることは、理解されるであろう。特定の手段が相互に異なる従属請求項に列挙されているという単なる事実は、これら手段の組み合わせが有利に利用されることができないことを示すものではない。
【００５０】
請求項におけるいずれの参照記号も、請求の範囲を限定するものとして解釈されるべきではない。
【符号の説明】
【００５１】
１  シェービング装置
２  シェービング装置本体
３  シェービングヘッド
４  シェービングヘッド駆動本体
５、３０５  シェービングヘッド切断本体
６、６Ａ、６Ｂ  駆動シャフト
７、７Ａ、７Ｂ、２０７、…、３０７、３０７Ａ  切断ユニット
８、３０８  シェービングヘッド切断本体のフレーム
１０、２１０、３１０、…、３１０Ａ  回転軸
１１、２１１、３１１、…、３１１Ａ  外部切断部材
１２、２１２、３１２、…、３１２Ａ  内部切断部材
１４  皮膚支持部材
１５  外部切断部材１１のための固定環
１６  外部切断部材１１のシェービング面
２０  遊び
２１、２２１、３２１、…、３２１Ａ  第１の中央部分
２２、２２２、３２２、…、３２２Ａ  第２の中央部分
２３０、３３０  磁石
２４０  磁場
【図１】
0006517369.tif 000002
【図２】
0006517369.tif 000003
【図３】
0006517369.tif 000004
【図４】
0006517369.tif 000005
【図５】
0006517369.tif 000006
【図６】
0006517369.tif 000007